(57)【要約】      （修正有）【課題】第１搬送ラインと第２搬送ラインとの間の落下部内で垂直方向を向くＩＣカードを落下させる場合、第２搬送ライン上に水平方向を向くようＩＣカードを安定して載置する。【解決手段】第１搬送ラインと第２搬送ライン３３との間の落下部３８内に、揺動軸１１ａを中心として揺動するとともにＩＣカード１を保持する揺動フラッパ１１と、揺動フラッパ１１の下方に位置し、ＩＣカード１を案内するスイングガイド１２とが設けられている。スイングガイド１２は回動軸１２ａを中心として第２搬送ライン３３の入口側を向く前方位置と、前方位置に対して後方側を向く後方位置との間で回動し、垂直方向を向くＩＣカード１を案内して水平方向を向かせて第２搬送ライン上に載置する。【選択図】図１
2018048026.tif 000002
【特許請求の範囲】
【請求項１】
カード用プリンタにおいて、
カードを積層して収納するカード用ホッパーと、
カード用ホッパーからのカードを搬送する第１搬送ラインと、
第１搬送ラインに沿って設けられ、カードに対して印刷を施す印刷部と、
第１搬送ラインの下方に配置され、カードを搬送する第２搬送ラインと、
第２搬送ラインに沿って設けられ、カードに対して保護シートを設ける保護シート形成部と、
第１搬送ラインの出口側と第２搬送ラインの入口側との間に配置され、垂直方向を向くカードを落下させる落下部とを備え、
落下部に、第２搬送ライン側を向く前方位置と前方位置に対して後方側を向く後方位置との間で回動し、カードを案内するとともにカードの姿勢を垂直方向から水平方向に変えて第２搬送ライン上に載置するスイングガイドを設けたことを特徴とするカード用プリンタ。
【請求項２】
カードはＩＣチップを含むＩＣカードからなり、
落下部内のスイングガイド上方に、ＩＣカードを垂直方向を向くよう保持するとともに揺動軸を中心として揺動する揺動フラッパと、揺動フラッパにより保持されたＩＣカードのＩＣチップに対して書込みを行なう書込部とを設けたことを特徴とする請求項１記載のカード用プリンタ。
【請求項３】
スイングガイドは前方位置をとってカードを案内し、ＩＣカードの下端は第２搬送ラインにより搬送され、ＩＣカードの上端がスイングガイドを後方位置まで回動させてカードの姿勢を垂直方向から水平方向に変えて第２搬送ライン上に載置することを特徴とする請求項１または２記載のカード用プリンタ。
【請求項４】
第２搬送ラインの入口側に入口ローラを設け、スイングガイドに沿って落下しながら案内されるカードの下端が第２搬送ラインにより搬送されて入口ローラに差込まれ、カードの上端がスイングガイドを後方位置まで回動させることを特徴とする請求項３記載のカード用プリンタ。
【請求項５】
スイングガイドの回動軸にスプリングが取り付けられ、スイングガイドはこのスプリングにより、前方位置に付勢されていることを特徴とする請求項１乃至４のいずれか記載のカード用プリンタ。
【請求項６】
落下部に、落下するカードをスイングガイドとともに案内する固定ガイドを設けたことを特徴とする請求項１乃至５のいずれか記載のカード用プリンタ。
【請求項７】
スイングガイドは前方位置をとるとき、垂直方向に対して２５°〜３５°の角度で傾斜することを特徴とする請求項１乃至６のいずれか記載のカード用プリンタ。
【請求項８】
スイングガイドの後方側に、不良品カードを排出する排出ガイドを設けたことを特徴とする請求項１乃至７のいずれか記載のカード用プリンタ。
【発明の詳細な説明】
【技術分野】
【０００１】
本発明は、運転免許証、クレジットカード、キャッシュカード、社員証、身分証、その他のＩＤカードを作成するために用いられるカード用プリンタに関する。
【従来の技術】
【０００２】
従来より運転免許証、クレジットカード、キャッシュカード、社員証、身分証、その他のＩＤカードを作成するためカード用プリンタが用いられている。
【０００３】
このカード用プリンタは多数のカードを多層に積載したＩＣカード用ホッパーを有する。そしてＩＣカード用ホッパーからのＩＣカードが一枚ずつ第１搬送ラインに移されて搬送される。
【０００４】
第１搬送ラインにより搬送されたＩＣカードはその後、カード用プリンタ内の印刷部に送られて印刷が施され、さらに第１搬送ライン上のＩＣカードは落下部を介して第２搬送ラインまで送られる。この間、落下部に設けられた書込部においてカードに内蔵されたＩＣチップに必要な情報が書込まれる。
【０００５】
次にＩＣチップに必要な情報が書込まれたＩＣカードは、落下部内で第２搬送ラインまで落下し、第２搬送ライン上を搬送される。次に第２搬送ラインにより搬送される間、ＩＣカードに対して保護シートが設けられる。
【０００６】
ところでＩＣカードを落下部内で第２搬送ラインまで落下させる際、第２搬送ライン上でＩＣカードが跳ね上がり、第２搬送ライン上にＩＣカードを安定した姿勢で載置することがむずかしい場合がある。
【０００７】
このような場合、ＩＣカード間の間隔を大きく広げてＩＣカードを搬送する必要があり、ＩＣカードに対するプリント処理の処理速度を大きくすることはむずかしい。
【先行技術文献】
【特許文献】
【０００８】
【特許文献１】特開２００７−９９４０７号公報
【発明の概要】
【発明が解決しようとする課題】
【０００９】
本発明はこのような点を考慮してなされたものであり、第１搬送ラインにより搬送されるカードを落下部を介して第２搬送ラインまで落下させる際、カードを第２搬送ライン上で跳ね上がることなく安定して第２搬送ライン上に載置することができるカード用プリンタを提供することを目的とする。
【課題を解決するための手段】
【００１０】
本発明は、カード用プリンタにおいて、カードを積層して収納するカード用ホッパーと、カード用ホッパーからのカードを搬送する第１搬送ラインと、第１搬送ラインに沿って設けられ、カードに対して印刷を施す印刷部と、第１搬送ラインの下方に配置され、カードを搬送する第２搬送ラインと、第２搬送ラインに沿って設けられ、カードに対して保護シートを設ける保護シート形成部と、第１搬送ラインの出口側と第２搬送ラインの入口側との間に配置され、垂直方向を向くカードを落下させる落下部とを備え、落下部に、第２搬送ライン側を向く前方位置と前方位置に対して後方側を向く後方位置との間で回動し、カードを案内するとともにカードの姿勢を垂直方向から水平方向に変えて第２搬送ライン上に載置するスイングガイドを設けたことを特徴とするカード用プリンタである。
【００１１】
本発明は、カードはＩＣチップを含むＩＣカードからなり、落下部内のスイングガイド上方に、ＩＣカードを垂直方向を向くよう保持するとともに揺動軸を中心として揺動する揺動フラッパと、揺動フラッパにより保持されたＩＣカードのＩＣチップに対して書込みを行なう書込部とを設けたことを特徴とするカード用プリンタである。
【００１２】
本発明は、スイングガイドは前方位置をとってカードを案内し、ＩＣカードの下端は第２搬送ラインにより搬送され、ＩＣカードの上端がスイングガイドを後方位置まで回動させてカードの姿勢を垂直方向から水平方向に変えて第２搬送ライン上に載置することを特徴とするカード用プリンタである。
【００１３】
本発明は、第２搬送ラインの入口側に入口ローラを設け、スイングガイドに沿って落下しながら案内されるカードの下端が第２搬送ラインにより搬送されて入口ローラに差込まれ、カードの上端がスイングガイドを後方位置まで回動させることを特徴とするカード用プリンタである。
【００１４】
本発明は、スイングガイドの回動軸にスプリングが取り付けられ、スイングガイドはこのスプリングにより、前方位置に付勢されていることを特徴とするカード用プリンタである。
【００１５】
本発明は、落下部に、落下するカードをスイングガイドとともに案内する固定ガイドを設けたことを特徴とするカード用プリンタである。
【００１６】
本発明は、スイングガイドは前方位置をとるとき、垂直方向に対して２５°〜３５°の角度で傾斜することを特徴とするカード用プリンタである。
【００１７】
本発明は、スイングガイドの後方側に、不良品カードを排出する排出ガイドを設けたことを特徴とするカード用プリンタである。
【発明の効果】
【００１８】
以上のように本発明によれば、第１搬送ラインにより搬送されるカードを落下部を介して第２搬送ラインまで落下させる際、第２搬送ライン上で跳ね上がることなく、カードを安定して第２搬送ライン上に水平方向を向くよう載置することができる。
【図面の簡単な説明】
【００１９】
【図１】図１（ａ）（ｂ）は本発明の実施の形態によるカード用プリンタの落下部を示す図。
【図２】図２はカード用プリンタの落下部を示す斜視図。
【図３】図３はカード用プリンタの全体を示す全体構成図。
【図４】図４（ａ）はＩＣカードの表面を示す図、図４（ｂ）はＩＣカードの裏面を示す図、図４（ｃ）は追記情報ラベルを示す図。
【発明を実施するための形態】
【００２０】
以下、図面を参照して本発明の実施の形態について説明する。
【００２１】
図１乃至図４は本発明によるカード用プリンタの一実施の形態を示す図である。
【００２２】
本発明によるカード用プリンタ２０は、図４（ａ）（ｂ）（ｃ）に示すようなＩＣチップ１ａを含むＩＣカード１の表面２に対して各個人の必要な表面情報２ａおよび顔画像情報２ｂを印字するとともに、ＩＣカード１の裏面３に対して裏面情報３ａを印字し、ＩＣチップ１ａ内に表面情報２ａおよび裏面情報３ａを書込んで、例えば社員カード、銀行カード、運転免許証等のＩＤカードを作製するものである。この場合、裏面情報のうちＩＣカード１の裏面３に印字できない追記情報５ａは、追記情報ラベル５に印字される。
【００２３】
ここで必要な表面情報２ａとは、当該個人の氏名、および住所等が考えられる。また裏面情報３ａとは表面に書き込めない住所の詳細情報が考えられ、さらに追記情報ラベル５に表記される追記情報５ａとは個人の詳細な運転条件等が考えられる。またＩＣカード１の表面２に個人のＩＤ番号（ＩＤ情報）２ｃも、印字される。
【００２４】
またカード用プリンタ２０においては、ＩＣカード１のＩＣチップ１ａ内に、表面情報２ａが書込まれる。
【００２５】
さらにカード用プリンタ２０の下流側には、ＩＣカード１のＩＣチップ１ａ内に裏面情報３ａを書き込み、かつＩＣカード１の裏面に裏面情報３ａを印字する裏面書込機能付プリンタ４０が接続されている（図３参照）。
【００２６】
さらにこの裏面書込機能付プリンタ４０には、ＩＣカード１のＩＣチップ１ａから裏面情報３ａを読み取り、裏面情報３ａのうちＩＣカード１の裏面３に印字できない追記情報５ａを印字して追記情報ラベル５を作製するとともに、この追記情報ラベル５を発行する追記情報ラベル発行部２８が接続されている（図３参照）。
【００２７】
なお、カード用プリンタ２０はＩＣカードの代わりにＩＣチップを有しないカードに対して印字のみを施すこともできる。
【００２８】
次に図３によりＩＣカード１に対して必要な情報を印字し、かつＩＣチップ１ａ内に必要な情報を書込むカード用プリンタ２０の概略を示す。
【００２９】
図３に示すようにカードプリンタ２０は、ケーシング２０Ａと、ケーシング２０Ａ内上方に設けられＩＣカード１を積層して収納するＩＣカード用ホッパー２１と、ＩＣカード用ホッパー２１からのＩＣカード１を搬送するとともにベルトコンベアからなる第１搬送ライン３２と、第１搬送ライン３２に沿って配置されＩＣカード１の表面２に顔画像情報２ｂを印字するＹ印刷部（イエロー印刷部）２２、Ｍ印刷部（マゼンタ印刷部）２３およびＣ印刷部（シアン印刷部）２４とを有している。このうちＹ印刷部２２はＩＣカード１の表面２にイエロー印刷を施すものであり、Ｍ印刷部２３はＩＣカード１の表面２にマゼンタ印刷を施すものであり、Ｃ印刷部２４はＩＣカード１の表面２にシアン印刷を施すものであり、Ｙ印刷部２２、Ｍ印刷部２３およびＣ印刷部２４により顔画像情報２ｂが印字される。これらＹ印刷部２２、Ｍ印刷部２３およびＣ印刷部２４によって印刷部２２、２３、２４が構成される。
【００３０】
またＣ印刷部２４の下流側には、Ｙ印刷部２２、Ｍ印刷部２３およびＣ印刷部２４によって印刷されたインキをＩＣカード１の表面に定着させるインキ定着部２５が設けられ、さらにインキ定着部２５の下流側にはＩＣカード１の表面２に表面情報２ａおよびＩＤ情報２ｃを印字する表面印字部２６が設けられている。この場合、Ｙ印刷部２２、Ｍ印刷部２３、Ｃ印刷部２４、インキ定着部２５および表面印字部２６によって印刷部２２〜２６が構成されている。
【００３１】
表面印字部２６を通過したＩＣカード１は第１搬送ライン３２の出口側３２Ａから当接体３２ａに向って送られ、当接体３２ａに当接した後、案内路３２ｂにより案内されて垂直方向を向き、落下部３８を介して第１搬送ライン３２の下方にある第２搬送ライン３３の入口側３３Ａへ送られる。
【００３２】
このうち、落下部３８内には第１リーダライタ（書込部）２７が内蔵されている。この第１リーダライタ２７は、ＩＣカード１のＩＣチップ１ａに表面情報２ａおよびＩＤ情報２ｃを書込むものである。また第２搬送ライン３３は、第１搬送ライン３２と同様、ベルトコンベアからなる。
【００３３】
また第２搬送ライン３３に沿って、ＩＣカード１の表面２に印字された表面情報２ａおよび顔画像情報２ｂを保護するためＩＣカード１の表面２上に第１保護シート（図示せず）を設ける第１保護シート形成部２９が設けられ、第１保護シート形成部２９の下流側に第１保護シート上に更に第２保護シート（図示せず）を設ける第２保護シート形成部３０が設けられている。これら第１保護シート形成部２９と第２保護シート形成部３０によって保護シート形成部２９、３０が構成される。
【００３４】
また第２搬送ライン３３の下流側には、表面情報２ａ、顔画像情報２ｂ、ＩＤ情報２ｃが表面２に印字され、かつＩＣチップ１ａ内に表面情報２ａおよびＩＤ情報２ｃが書込まれたＩＣカード１を受け取り、第１集積部３５ａ、第２集積部３５ｂまたは裏面印字集積部３６へＩＣカード１を振分ける選別排出部３７が設けられている。
【００３５】
このうち第１集積部３５ａ、第２集積部３５ｂは、裏面３に対して印字する必要のないＩＣカード１をＩＣカード１の種類に基づいて集積するものである。また裏面印字集積部３６は、下流側の裏面書込機能付プリンタ４０によりＩＣチップ１ａ内に裏面情報３ａを書き込み、かつＩＣカード１の裏面３に対して裏面情報３ａを印字する必要があるＩＣカード１を集積するものである。
【００３６】
裏面印字集積部３６に送られたＩＣカード１は、その後裏面書込機能付プリンタ４０および追記情報ラベル発行部２８へ順次送られる。
【００３７】
ところで選別排出部３７は、ＩＣカード１のＩＣチップ１ａに書込まれたＩＤ情報２ｃを読み取る機能を有し、選別排出部３７は読み取られたＩＤ情報２ｃに基づいて、当該ＩＣカード１に印字する裏面情報３ａが有るか否か判断する。
【００３８】
そして、印字すべき裏面情報３ａが有るＩＣカード１のみが選別排出部３７により裏面印字集積部３６に送られ、印字すべき裏面情報２ａがないＩＣカード１が第１集積部３５ａおよび第２集積部３５ｂに送られる。
【００３９】
また裏面書込機能付プリンタ４０は、ＩＣカード１のＩＣチップ１ａ内に必要な裏面情報３ａを書き込む第２リーダライタ４１と、ＩＣカード１の裏面３に必要な裏面情報３ａを印字する裏面印字部４２とを有している。さらに第２リーダライタ４１および裏面印字部４２の上流側に入口スタッカ４０ａが設けられ、第２リーダライタ４１および裏面印字部４２の下流側に出口スタッカ４０ｂが設けられている。
【００４０】
ところでカード用プリンタ２０および裏面書込機能付プリンタ４０は制御装置２０ａにより駆動制御される。
【００４１】
次に図１（ａ）（ｂ）および図２により、第１搬送ライン３２と第２搬送ライン３３との間に配置された落下部３８について説明する。上述のように第１搬送ライン３２の出口側３２Ａと第２搬送ライン３３の入口側３３Ａとの間に、案内路３２ｂにより垂直方向を向いたＩＣカード１を落下させる落下部３８が設けられている。
【００４２】
すなわちＩＣカード１は第１搬送ライン３２上においては水平方向を向いて搬送され、落下部３８内においては垂直方向を向いて第２搬送ライン３３上へ落下し、第２搬送ライン３３上においては水平方向を向いて搬送される。
【００４３】
ところで落下部３８内には、図１（ａ）（ｂ）および図２に示すように、ＩＣカード１を垂直方向に保持する揺動フラッパ１１が設けられている。すなわち、落下部３８はフレーム３８Ａを有し、揺動フラッパ１１はフレーム３８Ａに下方部１１Ｂに設けられた揺動軸１１ａを介して揺動自在に取付けられている。また揺動フラッパ１１はその上端１１Ａにより垂直方向を向くＩＣカード１を保持するようになっている。
【００４４】
また、上述した第１リーダライタ２７は、落下部３８内に配置され、揺動フラッパ１１の上端１１Ａにより保持されたＩＣカード１のＩＣチップ１ａに対して必要な情報を書込むようになっている。
【００４５】
さらに揺動フラッパ１１の下方に、落下部３８内を落下するＩＣカード１を案内するスイングガイド１２が設けられている。スイングガイド１２はその上方部１２Ａに設けられた回動軸１２ａを介してフレーム３８Ａに回動自在に取付けられており、このためスイングガイド１２は第２搬送ライン３３の入口側３３Ａを向く前方位置（図１（ａ）参照）と、前方位置に対して後方側を向く後方位置（図１（ｂ）参照）との間で回動するようになっている。
【００４６】
この場合、スイングガイド１２は前方位置をとって、落下部３８内を垂直方向を向いて落下するＩＣカード１を第２搬送ライン３３の入口側３３Ａへ導くことができる。このときＩＣカード１の下端１Ｂが第２搬送ライン３３により図１（ｂ）の右方向へ搬送され、スイングガイド１２がＩＣカード１の上端１Ａにより押圧されて後方位置をとる。このようにＩＣカード１の下端１Ｂが第２搬送ライン３３により図１（ｂ）の右方向へ搬送される間、ＩＣカード１の上端１Ａによりスイングガイド１２が押圧されて後方位置をとり、このことによりＩＣカード１はスイングガイド１２に案内されて、その姿勢を垂直方向から水平方向へ変えて第２搬送ライン３３上に安定して載置される。
【００４７】
ところで、第２搬送ライン３３の入口側３３Ａには、第２搬送ライン３３との間でＩＣカード１を挟持する入口ローラ５１が設けられ、ＩＣカード１の下端１Ｂが入口ローラ５１により巻込まれた際ＩＣカード１の上端１Ａによりスイングガイド１２を確実に押圧して後方位置まで回動することができる。
【００４８】
またスイングガイド１２の回動軸１２ａにはスプリング１３が取付けられ、このスプリング１３によってスイングガイド１２は常時前方位置をとるよう付勢されている。
【００４９】
なお、落下部３８内には、スイングガイド１２の前方側（図１（ａ）（ｂ）の右側）に、スイングガイド１２とともにＩＣカード１を案内する固定ガイド１５が設けられ、この固定ガイド１５はフレーム３８Ａに固定されている。さらに、スイングガイド１２の後方側（図１（ａ）（ｂ）の左側）に、不良品のＩＣカードを排出する排出ガイド１６が設けられている。排出ガイド１６はフレーム３８Ａに固定され、この排出ガイド１６は後方壁１７との間で不良品のＩＣカードを排出する排出路１８を形成する。
【００５０】
ところで、落下部３８内において、スイングガイド１２の上下方向の長さはＩＣカード１の垂直方向（上下方向）の長さより短かくなっており、約６５ｍｍとなっている。
【００５１】
また前方位置にあるスイングガイド１２は、垂直方向に対して２５°〜３５°の角度で傾斜しており、特に好ましくは３０°の角度で傾斜している。
【００５２】
さらにスイングガイド１２の回動軸１２ａに巻付けられたスプリング１３は、スイングガイド１２を前方位置に付勢することができ、かつスイングガイド１２に沿って案内されるＩＣカード１の上端１Ａにより容易に回動することが可能な程度のスプリング力をもつ。
【００５３】
次にこのような構成からなる本実施の形態の作用について説明する。
【００５４】
まずＩＣカード用プリンタ２０のＩＣカード用ホッパー２１内に、多数のＩＣカード１を多層に積載したカードマガジン（図示せず）が装着される（図３）。
【００５５】
このときカードマガジン内には、印字および書込みがなされていないＩＣカード１が積載されている。
【００５６】
次に印字および書込みがなされていないＩＣカード１が、ＩＣカード用ホッパー２１から排出される。その後ＩＣカード１は第１搬送ライン３２へ送られ、ＩＣカード１は第１搬送ライン３２に沿って搬送される。この場合、第１搬送ライン３２上において、ＩＣカード１は水平方向を向いて搬送される。
【００５７】
第１搬送ライン３２に沿ってＩＣカード１が搬送される際、このＩＣカード１の表面２に対してＹ印刷部（イエロー印刷部）２２、Ｍ印刷部（マゼンタ印刷部）２３およびＣ印刷部（シアン印刷部）２４によって、各々イエロー印刷、マゼンタ印刷、およびシアン印刷が施され、このようにしてＩＣカード１の表面２に顔画像情報２ｂが印字される。
【００５８】
次にＩＣカード１は第１搬送ライン３２によってインキ定着部２５へ送られ、このインキ定着部２５においてＹ印刷部２２、Ｍ印刷部２３およびＣ印刷部２４によって印字された顔画像情報２ｂのインキがＩＣカード１の表面に定着される。
【００５９】
その後ＩＣカード１は第１搬送ライン３２によって表面印字部２６に送られ、この表面印字部２６においてＩＣカード１の表面２に表面情報２ａおよびＩＤ情報２ｃが印字される。
【００６０】
次にＩＣカード１は水平方向の姿勢を維持したまま、第１搬送ライン３２の出口側３２Ａから当接体３２ａに向って送られ、当接体３２ａに当接した後、案内路３２ｂにより案内されて垂直方向を向き、落下部３８に送られる。
【００６１】
落下部３８内に送られたＩＣカード１は、揺動フラッパ１１の上端１１Ａによって保持される（図１（ａ）の想像線）。
【００６２】
このようにＩＣカード１が揺動フラッパ１１の上端１１Ａにより保持される間、第１リーダライタ２７においてＩＣカード１のＩＣチップ１ａに対して表面情報２ａ、顔画像情報２ｂおよびＩＤ情報２ｃが書込まれる（図１（ａ）参照）。
【００６３】
このようにＩＣカード１のＩＣチップ１ａ内に必要な情報が書込まれた後、揺動フラッパ１１が揺動軸１１ａを中心として後方側へ揺動する（図１（ａ）の実線参照）。この場合、ＩＣカード１は揺動フラッパ１１の上端１１Ａから外れ、揺動フラッパ１１の前方面１１ｂ上を滑って下方へ落下する。
【００６４】
その後ＩＣカード１はスイングガイド１２まで達し、スイングガイド１２と固定ガイド１５とによって下方へ案内される。この場合、スイングガイド１２はスプリング１３によって、第２搬送ライン３３の入口側３３Ａを向く前方位置に向って付勢されている。
【００６５】
次にＩＣカード１はスイングガイド１２と固定ガイド１５との間を通って第２搬送ライン３３の入口側３３Ａに達し、この第２搬送ライン３３によりＩＣカード１の下端１Ｂが図１（ａ）の右方向へ搬送される。
【００６６】
このようにＩＣカード１の下端１Ｂが第２搬送ライン３３により図１（ａ）の右方向へ搬送されると、ＩＣカード１の下端１Ｂが第２搬送ライン３３と入口ローラ５１との間に入り込み、ＩＣカード１の下端１Ｂが入口ローラ５１により巻込まれる。
【００６７】
この場合、ＩＣカード１の上端１Ａからスイングガイド１２に対して押圧力が働き、スイングガイド１２は回動軸１２ａを中心として回動して後方位置を向く（図１（ｂ））。
【００６８】
スイングガイド１２が前方位置から後方位置まで回動する間、スイングガイド１２はＩＣカード１の上端１Ａを下方へ案内し、このことによりＩＣカード１の姿勢が垂直方向から水平方向へ変化する。その後、水平方向を向いたＩＣカード１は、第２搬送ライン３３上に載置される。
【００６９】
この場合、スイングガイド１２がＩＣカード１の上端１Ａにより押圧され、前方位置から後方位置まで回動することにより、回動するスイングガイド１２によりＩＣカード１の上端が案内され、ＩＣカード１の姿勢を水平方向へ向けてＩＣカード１を第２搬送ライン３３上に確実に載置することができる。
【００７０】
すなわち、落下部３８において、垂直方向を向くＩＣカード１をそのままの姿勢で第２搬送ライン３３上へ落下させた場合、ＩＣカード１は第２搬送ライン３３上で跳ね上がり、このため第２搬送ライン３３上にＩＣカード１を安定して載置することはむずかしくなる。この場合は、ＩＣカード１を第１搬送ライン３２、落下部３８および第２搬送ライン３３間で、間隔を大きく広げて送る必要があり、処理効率の低下を招く。
【００７１】
これに対して本実施の形態によれば、ＩＣカード１を第２搬送ライン３３上に跳ね上がることなく、水平方向に向けて安定して載置することができ、ＩＣカード１の間隔を大きく広げることなく、ＩＣカード１を第１搬送ライン３２から第２搬送ライン３３へ迅速に送ることができ、処理効率の向上を図ることができる。
【００７２】
なお、揺動フラッパ１１の上端１１Ａにより保持されたＩＣカード１が不良品の場合、揺動フラッパ１１は揺動軸１１ａを中心として前方側（図１（ａ）の右側）へ揺動する。
このことにより不良品のＩＣカード１を揺動フラッパ１１の後方面１１ｃ上を滑らせて排出ガイド１６と後方壁１７との間の排出路１８から外方へ排出することができる。
【００７３】
上述のように、表面情報２ａ、顔画像情報２ｂ、ＩＤ情報２ｃが表面２に印字され、かつＩＣチップ１ａに表面情報２ａおよびＩＤ情報２ｃが書込まれたＩＣカード１は、その後第２搬送ライン３３に沿って搬送されて第１保護シート形成部２９へ送られ、この第１保護シート形成部２９においてＩＣカード１の表面に第１保護シートが形成される。次にＩＣカード１は第２搬送ライン３３に沿って第２保護シート形成部３０へ送られ、この第２保護シート形成部３０においてＩＣカード１の第１保護シート上に第２保護シートが形成される。
【００７４】
次にＩＣカード１は第２搬送ライン３３により搬送され、選別排出部３７に達する。ＩＣカード１はこの選別排出部３７により振分けられる。すなわちＩＣカード１のうち、表面２のみに表面情報２ａ、顔画像情報２ｂおよびＩＤ情報２ｃが印字され、ＩＣチップ１ａに表面情報２ａおよびＩＤ情報２ｃが書込まれるとともに、裏面３に裏面情報３ａを印字する必要がなく、かつＩＣチップ１ａに裏面情報３ａを書込む必要のないＩＤカード１は第１集積部３５ａ、第２集積部３５ｂへ送られる。
【００７５】
他方、表面２に表面情報２ａ、顔画像情報２ｂおよびＩＤ情報２ｃが印字され、ＩＣチップ１ａに表面情報２ａおよびＩＤ情報２ｃが書込まれるとともに、裏面３にも裏面情報３ａを印字する必要があり、かつＩＣチップ１ａに裏面情報３ａを書込む必要があるＩＤカード１は裏面印字集積部３６へ送られる。
【００７６】
次に裏面印字集積部３６に送られたＩＣカード１は、その後裏面書込機能付プリンタ４０へ送られる。そしてＩＣカード１はこの裏面書込機能付プリンタ４０内において、第２リーダライタ４１によりＩＣチップ１ａ内に裏面情報３ａが書込まれ、続いて裏面印字部４２によりＩＣカード１の裏面３に裏面情報３ａが印字される。
【００７７】
このようにしてカードプリンタ２０および裏面書込機能付プリンタ４０によって、ＩＣカード１に対する印字および書込作業が終了し、印字および書込済のＩＣカード１が得られる。
【００７８】
なお、ＩＣカード用プリンタ２０および裏面書込機能付プリンタ４０における各構成部分は、上述のようにプリンタ制御部２０ａにより駆動制御される。
【００７９】
なお印字すべき裏面情報がないと判断されて第１集積部３５ａおよび第２集積部３５ｂへ送られたＩＣカード１は、裏面書込機能付プリンタ４０を経ることなく外方へ排出される。
【００８０】
次に裏面書込機能付プリンタ４０を経たＩＣカード１は、追記情報ラベル発行部２８に送られる。この追記情報ラベル発行部２８では、ＩＣカード１のＩＣチップ１ａから裏面情報３ａを読み取り、裏面情報３ａのうちＩＣカード１の裏面に印字できない追記情報５ａを印字して追記情報ラベル５を作製し発行する。このようにして得られた追記情報ラベル５は、その後ＩＣカード１の裏面３の所望位置に貼付される。
【００８１】
このようにして表面情報２ａ、顔画像情報２ｂおよびＩＤ情報２ｃが表面２に印字され、裏面情報３ａが裏面３に印字され、表面情報２ａ、裏面情報３ａおよびＩＤ情報２ｃがＩＣチップ１ｃに書込まれ、追記情報ラベル５が裏面３に貼付されたＩＣカード１を精度良くかつ効率良く作製することができる。
【符号の説明】
【００８２】
１  ＩＣカード
１Ａ  上端
１Ｂ  下端
１ａ  ＩＣチップ
１１  揺動フラッパ
１１Ａ  上端
１１Ｂ  下方部
１１ａ  揺動軸
１２  スイングガイド
１２Ａ  上方部
１２ａ  回動軸
１３  スプリング
１５  固定ガイド
１６  排出ガイド
１７  後方壁
１８  排出路
２０  ＩＣカード用プリンタ
２１  ＩＣカード用ホッパー
２２  Ｙ印刷部
２３  Ｍ印刷部
２４  Ｃ印刷部
２７  第１リーダライタ
２９  第１保護シート形成部
３０  第２保護シート形成部
３２  第１搬送ライン
３２Ａ  出口側
３３  第２搬送ライン
３３Ａ  入口側
３８  落下部
５１  入口ローラ
【図１】
2018048026.tif 000003
【図２】
2018048026.tif 000004
【図３】
2018048026.tif 000005
【図４】
2018048026.tif 000006
【手続補正書】
【提出日】平成29年12月5日(2017.12.5)
【手続補正１】
【補正対象書類名】特許請求の範囲
【補正対象項目名】全文
【補正方法】変更
【補正の内容】
【特許請求の範囲】
【請求項１】
カード用プリンタにおいて、
カードを積層して収納するカード用ホッパーと、
カード用ホッパーからのカードを搬送する第１搬送ラインと、
第１搬送ラインに沿って設けられ、カードに対して印刷を施す印刷部と、
第１搬送ラインの下方に配置され、カードを搬送する第２搬送ラインと、
第２搬送ラインに沿って設けられ、カードに対して保護シートを設ける保護シート形成部と、
第１搬送ラインの出口側と第２搬送ラインの入口側との間に配置され、垂直方向を向くカードを落下させる落下部とを備え、
落下部に、カードを案内するとともにカードの姿勢を垂直方向から水平方向に変えて第２搬送ライン上に載置するガイドを設け、
ガイドは垂直方向に対して前方に向かって傾斜する傾斜板からなり、当該傾斜板はカードを案内し、カードの下端は第２搬送ラインにより搬送され、前記傾斜板によりカードの姿勢を垂直方向から水平方向に変えて第２搬送ライン上に載置することを特徴とするカード用プリンタ。
【請求項２】
カードはＩＣチップを含むＩＣカードからなり、
落下部内のガイド上方に、ＩＣカードを垂直方向を向くよう保持するとともに揺動軸を中心として揺動する揺動フラッパと、揺動フラッパにより保持されたＩＣカードのＩＣチップに対して書込みを行なう書込部とを設けたことを特徴とする請求項１記載のカード用プリンタ。
【請求項３】
落下部に、落下するカードをガイドとともに案内する固定ガイドを設けたことを特徴とする請求項１または２記載のカード用プリンタ。
【請求項４】
ガイドは、垂直方向に対して２５°〜３５°の角度で傾斜する傾斜板からなることを特徴とする請求項１乃至３のいずれか記載のカード用プリンタ。
【請求項５】
傾斜板の後方側に、不良品カードを排出する排出ガイドを設けたことを特徴とする請求項１乃至４のいずれか記載のカード用プリンタ。